(57)【特許請求の範囲】
【請求項１】
一対の無限系対物レンズと結像レンズ、あるいは、有限系対物レンズを備える光学顕微鏡に装着する光学装置において、
前記光学顕微鏡の結像面に配置されたスリットと、
前記結像面から到来する光を第１光路と第２光路の二つに分けるためのハーフミラーと、
第１光路に設けられていると共に光路上において位置変化が可能な第１のリレーレンズと、
第２光路に設けられていると共に光路上において位置変化が可能な第２のリレーレンズと、
前記第１のリレーレンズを通過した光と前記第２のリレーレンズを通過した光を一つにまとめるミラーと、
このミラーによってまとめられた以降における光の光路上に設けられた第３のリレーレンズと、
この第３のリレーレンズを通過した光を受光面に投影して画像を得る画像取得装置とを具備し、
前記複数枚のリレーレンズのうち、２枚のリレーレンズを動かすことによって、前記対物レンズと観察試料の距離を変化させることなく、顕微画像の焦点面を移動させ、前記第１のリレーレンズと前記第２のリレーレンズの位置の変化により作りだされた焦点位置の異なる二つの画像を同時に取得することを特徴とする光学装置。
【請求項２】
ハーフミラーに代えて、ビームスプリッタを、
具備することを特徴とする請求項１に記載の光学装置。
【請求項３】
ハーフミラーに代えて、ダイクロックミラーを、
具備することを特徴とする請求項１に記載の光学装置。
【請求項４】
請求項１乃至３のいずれか１項に記載の光学装置を用いて、
前記第１のリレーレンズと前記第２のリレーレンズを動かすことによって、顕微画像の焦点面を移動させることを特徴とする結像方法。
【請求項５】
請求項１乃至３のいずれか１項に記載の光学装置を用いて、
前記第１のリレーレンズと前記第２のリレーレンズの焦点距離に差をつけることにより、二つの光路による拡大率が異なる像を取得することを特徴とする結像方法。
【発明の詳細な説明】
【技術分野】
【０００１】
本発明は、光学顕微鏡により取得された画像情報を使用した光学装置及び該光学装置を使用した結像方法に関する。
【背景技術】
【０００２】
光学顕微鏡の結像面にビデオレートカメラを設置することで、観察試料を実時間で観察できる。さらに、共焦点顕微鏡によって、光学切片の薄い試料の断面像を取得できるので、光軸方向に対物レンズを走査し、取得した光学切片を光軸方向に並べることで、三次元画像を取得することができる。共焦点顕微鏡を用いて、ビデオレートカメラの垂直同期信号と同期させて、ピエゾアクチュエータにより対物レンズの焦点位置を制御して、三次元画像を得る技術は、特許文献１に開示されている。この技術は、前記ビデオレートカメラの撮影時間の間は対物レンズを固定させ、それ以外の時間に対物レンズを目的の位置に移動させることで、必要とする焦点位置での共焦点像をビデオフレームに合わせて取得できる。階段状に対物レンズを移動させ、得た共焦点像をｚ軸方向に重ねれば、三次元な画像が構築される。
【０００３】
特許文献１では、焦点移動による光学ぼけの少ない画像を取得するために、カメラの撮影時間外に、対物レンズを階段状に移動させ、焦点移動を完了し、撮影時間内は焦点を固定させる。前記技術では、ビデオレートカメラの垂直同期信号と同期させて、ピエゾアクチュエータにより対物レンズの焦点位置を制御する。従って、必要とする焦点位置での共焦点像をビデオフレームに合わせて取得できる。しかしながら、油浸対物レンズの高速走査は、イマージョンオイルの粘性の為、観察試料を振動させてしまい、光学ぼけの原因となってしまう。
【０００４】
蛋白質機能解析の研究では、観察の対象となる蛋白質に蛍光粒子を負荷し、蛍光粒子から発せられる信号から、蛍光粒子の挙動、局在等を継時的に検出することで、前記蛋白質の挙動および状態を解析する。この解析方法に関しては、特許文献２に開示されている。
さらに、環境感受性色素を用いたレシオイメージングの様な、異なる発光波長の二つ以上の色素を用いた多色同時観察を行う事で、より深い知見を得ることができる。多色同時観察を行う為の、代表的な光学系を図８に示す。顕微鏡の結像面と像を受光する為のカメラの間に配置されたダイクロックミラー１０１により、波長の異なる光路ａ、光路ｂにわけ、ダイクロックミラー１０２により、再度、一枚の像になる。顕微鏡の結像面には、スリット１０３が配置されており、ミラー１０４および１０５を調節することによって、画像取得装置１０８の受光面に、波長の異なる二つの画像を一枚の画像として取得できる。色収差による焦点位置のずれは、光路ａ、光路ｂのいずれかに、ガラス板を加える等の補正が必要となる。また、その補正は、波長によって異なるため、波長に対して適切な補正用ガラス板を用意する必要がある。
【０００５】
上記の様に、顕微鏡観察において、波長の異なる蛍光像を二つの光路によって分け、再度光路を合わせることで、一枚の画像として、取得できる。しかしながら、二つの異なる焦点位置を一枚の画像として得ることのできる光学系、拡大率の異なる二枚の画像を一枚の画像として得ることのできる光学系は存在しない。
【０００６】
【特許文献１】特開２００４−１８４６９９号公報
【特許文献２】特開２００３−２９４６３１号公報
【発明の開示】
【発明が解決しようとする課題】
【０００７】
そこで、上記問題に鑑みて、本発明では、対物レンズ、もしくは、資料標本を移動させることなく、観察する焦点位置を変化させることのできる光学装置及び該光学装置を使用した結像方法を提供することである。また、波長の違いによる焦点距離の補正を簡易にする光学装置、二つの異なる焦点位置を一枚の画像として得ることのできる光学装置、拡大率の異なる二枚の画像を一枚の画像として得ることのできる光学装置、及び該光学装置を使用した結像方法を提供することである。
【課題を解決するための手段】
【０００８】
本発明に係る光学装置は、一対の無限系対物レンズと結像レンズ、あるいは、有限系対物レンズを備える光学顕微鏡に装着する光学装置において、前記光学顕微鏡の結像面に配置されたスリットと、前記結像面から到来する光を第１光路と第２光路の二つに分けるためのハーフミラーと、第１光路に設けられていると共に光路上において位置変化が可能な第１のリレーレンズと、第２光路に設けられていると共に光路上において位置変化が可能な第２のリレーレンズと、前記第１のリレーレンズを通過した光と前記第２のリレーレンズを通過した光を一つにまとめるミラーと、このミラーによってまとめられた以降における光の光路上に設けられた第３のリレーレンズと、この第３のリレーレンズを通過した光を受光面に投影して画像を得る画像取得装置とを具備し、前記複数枚のリレーレンズのうち、２枚のリレーレンズを動かすことによって、前記対物レンズと観察試料の距離を変化させることなく、顕微画像の焦点面を移動させ、前記第１のリレーレンズと前記第２のリレーレンズの位置の変化により作りだされた焦点位置の異なる二つの画像を同時に取得することを特徴とする。
本発明に係る光学装置は、ハーフミラーに代えて、ビームスプリッタを、
具備することを特徴とする。
本発明に係る光学装置は、ハーフミラーに代えて、ダイクロックミラーを、
具備することを特徴とする。
【０００９】
本発明に係る結像方法は、請求項１乃至３のいずれか１項に記載の光学装置を用いて、前記第１のリレーレンズと前記第２のリレーレンズを動かすことによって、顕微画像の焦点面を移動させることを特徴とする。
本発明に係る結像方法は、請求項１乃至３のいずれか１項に記載の光学装置を用いて、前記第１のリレーレンズと前記第２のリレーレンズの焦点距離に差をつけることにより、二つの光路による拡大率が異なる像を取得することを特徴とする。
【発明の効果】
【００１０】
上記課題を解決するための手段により、対物レンズ、もしくは、資料標本を移動させることなく、観察する焦点位置を変化させることのできる光学装置及び該光学装置を使用した結像方法を提供することが可能となった。また、波長の違いによる焦点距離の補正を簡易にする光学装置、二つの異なる焦点位置を一枚の画像として得ることのできる光学装置、拡大率の異なる二枚の画像を一枚の画像として得ることのできる光学装置、及び該光学装置を使用した結像方法を提供することが可能となった。
また、本発明の光学装置は、顕微鏡における結像面以降の光学装置であるから、如何なる顕微鏡においても応用可能である。
【発明を実施するための最良の形態】
【００１１】
以下、本発明を実施するための最良の形態を、図面を参照しながら説明する。ただし、これらは一実施形態にすぎず、本発明の特許請求の範囲を限定するものではない。
図１に本実施形態に係る光学装置の構成を示す。図１（ａ）は、無限系対物レンズ２０１と結像レンズ２０２からなる、無限系光学を用いた顕微鏡へ付加する光学装置である。図示する様に前記光学装置は、無限系対物レンズ２０１と結像レンズ２０２の他に、二枚のリレーレンズ２０３、２０４と、画像取得装置２０５からなる。無限系光学系を用いた顕微鏡では、結像レンズ２０２の後ろ、結像レンズ２０２の焦点距離だけ離れた位置（光路イ）に実像ができる。二枚のリレーレンズ２０３、２０４は、リレーレンズの役割を果たす。結像面からリレーレンズ２０３まで（光路ロ）の距離と、リレーレンズ２０３の焦点距離を、等しくすることで、リレーレンズ２０３以降は無限系光学となる。リレーレンズ２０４から画像取得装置２０５の受光面まで（光路ニ）の距離は、リレーレンズ２０４の焦点距離と等しくすることにより、上記受光面にて、再度、実像が作られる。この時、リレーレンズ２０３とリレーレンズ２０４の焦点距離の比、すなわち、光路ロと光路ニの距離の比で、結像面に対する受光面の拡大率が決定する。光路ハの距離は任意で良いが、本実施例では、光路ハの距離はリレーレンズ２０３とリレーレンズ２０４の焦点距離の和と等しくした。上記光学装置は、顕微鏡の結像面以降の光学系から構成されているため、有限系光学を用いた顕微鏡においても、図１（ｂ）に示すように、リレーレンズ２０３、２０４、画像処理装置２０５は、図１（ａ）に示す無限系を用いた顕微鏡における場合と同様である。
【００１２】
図１に示す光学装置の効果について、図２を用いて説明する。簡単の為、無限系対物レンズと結像レンズからなる光学系は、一枚のレンズ３０１として表す。図２（ａ）の様に、配置された光学系を考える。レンズ３０１は、試料をレンズ３０１の後方ｂの位置に実像１を作る。この時、レンズ３０１による拡大率は、ｂ／ａである。レンズ３０２と３０３は、二枚でひとつのリレーレンズの役割を果たす。レンズ３０２に焦点距離は光路ｃと等しく、レンズ３０３に焦点距離は光路ｅと等しい。光路ｄは、レンズ３０２、３０３の焦点距離の和とする。レンズ３０２と３０３は、レンズ３０１によって作られた３０２の実像１をリレーし、レンズ３０３から距離ｅ離れた位置に実像２を作る。レンズ３０２、３０３からなる光学系の拡大率は、ｅ／ｃである。すなわち、図２（ａ）に示す三枚のレンズ３０１、３０２、３０３からなる光学系の拡大率Ｍは、Ｍ＝ｂ／ａ×ｅ／ｃである。
【００１３】
次に、Δｘだけ離れた試料を観察したい場合を、図２（ｂ）に示す。レンズ３０１は移動しないので、図２（ａ）の時に比べ、レンズ３０１にΔｙだけ近い位置に実像１’が作られる。ｂ−Δｙは、ｂ−Δｙ＝ａｂ（ａ＋Δｘ）／［ｂ｛（ａ＋Δｘ）−ａ｝＋ａ（ａ＋Δｘ）］となる。従って、実像１’の拡大率は、（ｂ−Δｙ）／（ａ＋Δｘ）＝ａｂ／［ｂ｛（ａ＋Δｘ）−ａ｝＋ａ（ａ＋Δｘ）］である。レンズ３０２を、Δｙだけ移動させることで、実像２’を図２（ａ）と同じ位置に作ることができる。レンズ３０２、３０３による光学系の倍率は、図２（ａ）と変わらず、ｅ／ｃである。すなわち、図２（ｂ）に示す三枚のレンズ３０１、３０２、３０３からなる光学系の拡大率Ｍ’は、Ｍ’＝ａｂ／｛Δｘ（ａ＋ｂ）＋ａ２｝×ｅ／ｃである。拡大率の比（Ｍ’／Ｍ）は、Ｍ’／Ｍ＝ａ２／｛Δｘ（ａ＋ｂ）＋ａ２｝となり、光路ｃ、ｅの距離に依存しない。本実施例では、図２（ａ）において、ａ＝１.６７［ｍｍ］、ｂ＝１００［ｍｍ］、ｃ＝１００［ｍｍ］、ｄ＝２００［ｍｍ］である（６０倍無限遠対物レンズ、結像レンズの焦点距離１００［ｍｍ］、レンズ３０２の焦点距離１００［ｍｍ］、レンズ３０３の焦点距離２００［ｍｍ］）である。
【００１４】
本実施例における、レンズ３０２をΔｙだけ動かした時の焦点の移動距離Δｘのグラフを図３（ａ）に、様々な倍率の対物レンズを用いた時の、Δｘに対する拡大率の比（Ｍ’／Ｍ）のグラフを図３（ｂ）に示す。図３（ａ）に示すように、Δｘは、Δｘ＝１／｛ｍ１／Δｙ−ｍ２｝（ｍ１、ｍ２は定数）となり、簡単なΔｙの関数である。６０倍の対物レンズを用いた場合、拡大率の比（Ｍ’／Ｍ）は、２．７９／（２．７９＋１０１．６７・Δｘ）となる。図３（ｂ）に示すように、Δｘを−１０［μｍ］から１０［μｍ］まで動かすと、（Ｍ’／Ｍ）は、０．７３から１．２７まで変化する。Δｘの範囲が、−１［μｍ］から１［μｍ］程度であれば、４％以下の拡大率の差で、レンズ３０１を動かすことなく、レンズ３０２を動かすだけで、この光学系における焦点位置を変化させる事ができる。対物レンズの倍率が低い程、Ｍ’／ＭのΔｘに対する変化率は小さい。
【００１５】
さらに、図２に挙げる光学系は、実像１を、実像２にリレーする為に、二枚のレンズを用いているので、レンズ３０３を動かすことにより、光学系全体の拡大率を変えることなく、焦点位置を変化させることができる。図２（ｂ）に示し上述したように、実像１’は、Ｍ’だけ拡大された像である。従って、リレーレンズ３０２、３０３を用いて、実像１’をＭ”＝Ｍ／Ｍ’×ｅ／ｃだけ拡大して実像２’を作れば良い。
図２（ｃ）を用いて説明する。リレーレンズ３０２と３０３からなる光学系の焦点距離ｆは、ｆ＝ｃｅ／（ｃ＋ｅ）である。光路ｃ、eの新しい距離をｃ−Δα、ｅ＋Δβとすると、（ｅ＋Δβ）＝Ｍ”・（ｃ−Δα）＝［ａ２／｛Δｘ（ａ＋ｂ）＋ａ２｝・ｅ／ｃ］・（ｃ＋Δα）となり、Δｘだけ焦点位置をずらしたい場合のレンズ３０３の移動させる距離ΔβはΔｘの関数である。（ｃ−Δα）＝ｆ（１＋Ｍ”）／Ｍ”、ここで、Ｍ”＝ａ２／｛Δｘ（ａ＋ｂ）＋ａ２｝・ｅ／ｃであるから、Δαは、Δｘによる関数である。Δｙ＝ｂ２／｛Δｘ（ａ＋ｂ）＋ａ２｝であるから、Δｘだけ焦点位置をずらしたい場合のレンズ３０２の移動させる距離Δγは、Δγ＝Δｙ＋Δαだけであり、Δｘの関数として記述できる。従って、Δｘが決定すれば、レンズ３０２、レンズ３０３の動かす距離は一意に決定する。逆に、Δｘ、Δβは、Δγの関数として記述できる。
レンズ３０２をΔγ動かした時の、焦点の移動距離Δｘのグラフを図３（ｃ）に、レンズ３０２をΔγ動かした時の、レンズ３０３を動かすべき距離Δβを図３（ｄ）に示す。どちらも、Δｘ＝1／{ｍ３／Δγ−ｍ４}、Δβ＝1／{ｍ５／Δγ−ｍ６}（ｍ３−６は定数）と、Δγの簡単な関数である。上記の様にレンズ３０２を動かした距離から、Δｘを算出し、レンズ３０３を適切な位置に移動させることで、図２（ｃ）の光学系において、受光面における倍率を変えることなく、観察試料の焦点面のみを移動させることが可能となる。
【００１６】
従来の技術では、対物レンズを光軸方向に走査することにより、焦点位置を走査していたが、図２（ｂ）、（ｃ）に示す光学系では、レンズを走査することにより、焦点位置を走査する。対物レンズに比べ、単レンズは質量が軽い為、共振周波数が大きい。また、対物レンズを動かさない為、油浸対物レンズを用いた時のイマージョンオイルの粘性等による観察面の振動が起こらない。従って、図２（ｂ）、（ｃ）に示す光学系を用いた場合、対物レンズを走査する場合よりも、高速な焦点位置の走査が可能である。
【００１７】
図４に、図２（ｂ）に示す光学原理を利用して、二つの異なる焦点位置を一枚の画像として得ることのできる光学系を示す。上記光学系は、顕微鏡の結像面に配置され、視野を限定するためのスリット５０１、光を二つに分けるためのハーフミラー５０２、結像面の実像を、画像取得装置５０９にリレーするためのリレーレンズ５０３、５０４、および、５０８、ミラー５０５、５０６、三角プリズムあるいはミラー５０７によって構成される。スリット５０１を通った光は、ハーフミラー５０２により、第１光路と第２光路に分割される。第１光路において、レンズ５０３と５０８は、図２（ｂ）におけるレンズ３０２、３０３にそれぞれ対応する。第２光路においても同様に、レンズ５０４と５０８が、図２（ｂ）におけるレンズ３０２、３０３にそれぞれ対応する。レンズ５０３と５０４の焦点距離は等しく、レンズ５０３、５０４以降を無限遠光学系にするため、結像面からレンズ５０３までの距離ａと、レンズ５０４までの距離ｃは、レンズ５０３および５０４の焦点距離と等しい。二つに分けられた光路は、ミラー５０５、５０６によって曲げられ、そのうち、第２光路が、三角プリズム５０７によって第１光路に隣接するように曲げられ、第１光路、第２光路は共に、画像取得装置５０９に入射される。レンズ５０８の焦点距離と、レンズ５０８から画像取得装置５０９までの距離ｅを等しくすることで、第１光路、第２光路のそれぞれの像が、画像取得装置５０９の受光面にて結像する。
【００１８】
レンズ５０３、５０４以降は、無限遠光学系である為、基本的にレンズ５０８の位置に制限はないが、レンズ５０８に顕微鏡から出てくる光を全て入射できるように設置した方が良い。また、本実施例では、レンズ５０３および５０４の焦点距離と、レンズ５０３から三角プリズムまでの距離ｂ、およびレンズ５０４から三角プリズムまでの距離ｄを等しくしている。市販されている多くの顕微鏡において、スリット５０１を通った光は、平行光である。従って、レンズ５０３および５０４の焦点距離と、レンズ５０３から三角プリズムまでの距離ｂ、およびレンズ５０４から三角プリズムまでの距離ｄを等しくすることで、光は、三角プリズム５０７の位置にて、最も絞られる。三角プリズム５０７の位置にて二つの光路を一つにする際に、第１光路の直ぐ真横に第２光路を設置できるので、第２光路が、画像処理装置５０９に対し、ほぼ垂直に入射することができる。本実施例では、レンズ５０３、５０４の焦点距離は１００［ｍｍ］、レンズ５０８の焦点距離は２００［ｍｍ］とした。レンズ５０３、５０４の位置を変えることで、第１光路、第２光路において、それぞれ別々に観察試料上での焦点の位置を変化させることができる。
【００１９】
図５に、レンズ５０４を５［ｍｍ］移動させた時の、画像処理装置５０９による像を示す。図５（ａ）は、第１光路において、像の焦点が合っている場合を示す。上半分が第１光路による像、下半分が第２光路による像である。第１光路において、焦点が合っているため、第２光路では像がぼけている。図５（ｂ）は、第２光路において焦点が合っている場合である。第２光路において、焦点が合っているため、第１光路において像がぼけている。このように、図４に示す光学系は、焦点の異なる二つの画像を一枚の画像として取得することができる。ここでは、光路を二つにのみ分けているが、例えば、ハーフミラーをさらに第１光路、第２光路にそれぞれ加えて同様の光学系を組む、あるいは、同じ光学系を二回繰り返すことにより、焦点の異なる四つの画像を一枚の画像として取得できる。
図４に示す光学系を利用して、二つの異なる波長の画像を一枚の画像として取得できる。図４において、ハーフミラー５０２をダイクロックミラーにすれば良い。
【００２０】
図６（ａ）に、発光波長の異なる半導体ナノクリスタル蛍光粒子（Ｅｖｉｄｅｎｔ社）を観察した例を示す。発光波長は、それぞれ、６０５［ｎｍ］と８００［ｎｍ］であり、ガラス面に固定してある。使用したダイクロックミラーは、波長６３０［ｎｍ］以下の光を反射し、それ以上の波長を透過する。従って、第１光路（図６（ａ）上半分）では、発光波長６０５［ｎｍ］のナノクリスタル、第２光路（図６（ａ）下半分）では、発光波長８００［ｎｍ］のナノクリスタルの像が作られる。結像面からレンズ５０３までの距離とレンズ５０４までの距離が等しい場合に得られる蛍光像を図６（ａ）に示す。第１光路、すなわち、発光波長６０５［ｎｍ］のナノクリスタルの像は、焦点が合っているが、第２光路、すなわち、発光波長８００［ｎｍ］のナノクリスタルの像は、焦点が合わずぼけている。これは、波長の違いによる色収差による焦点のずれである。
【００２１】
図８に示す従来の光学系では、光路ａ、光路ｂいずれかにガラスの板を加え、光路長を調整し、光路ａ、光路ｂの焦点位置を同じにする。レンズ５０４を動かすことにより、第２光路のみ焦点位置を移動させることで、図６（ｂ）に示すように、波長に関係なく、第１光路、第２光路の焦点を合わせることができる。すなわち、色収差を補正することができる。
【００２２】
また、図４に示す光学系を利用して、拡大率の異なる画像を一枚の画像として取得できる。レンズ５０４の焦点距離を変え、それに合わせて、結像位置からレンズ５０４までの距離ｃを短くすれば良い。レンズ５０３の焦点距離が１００［ｍｍ］にして、レンズ５０４の焦点距離を６０［ｍｍ］にした例を図７に示す。第１光路に対し、第２光路の拡大率が大きくなっている。さらに、図４に示す光学系を利用して、偏光の異なる画像を一枚の画像として取得することも容易である。図４において、ハーフミラー５０２を偏光ビームスプリッタにすれば良い。上記した様に、図４に示す光学系は、焦点位置の異なる二画像を一枚の画像として取得できるだけでなく、様々な条件の異なる画像を一枚の画像として取得することが可能である。
【００２３】
本発明は、エバネッセント照明、共焦点、射光照明、暗視野照明、二光子励起照明等、様々な照明法によって作られる、散乱像、および、蛍光像で利用可能である。
また本発明は、顕微鏡下において、対物レンズ、もしくは、資料標本を移動させることなく焦点を移動させることができるので、資料標本を振動させることなく高速な焦点の走査が可能となる。さらに、波長の違いによる焦点距離の補正を簡易にするので、多色同時観察における光学装置を簡素にできる。また、二つの異なる焦点位置を一枚の画像として得ることのできる光学装置によって、例えば、資料標本において、表面と内部を同時に観測することができる。さらに、拡大率の異なる二枚の画像を一枚の画像として得ることのできる光学装置によって、広視野を観察しつつ、拡大率の高い観察が可能となる。さらに、上記した三つの光学装置を、ほぼ同一の光学装置とすることにより、上記三つの光学装置の切り替えを簡易にできる。
【産業上の利用可能性】
【００２４】
本発明によって開発された焦点の異なる２枚の画像をひとつの画像取得装置で取得する光学装置として用いることが出来る。また、波長の異なる２枚の画像をひとつの画像取得装置で取得する光学装置、拡大率の異なる２枚の画像をひとつの画像取得装置で取得する光学装置、あるいは、偏光の異なる２枚の画像をひとつの画像取得装置で取得する光学装置として広く用いることができる。
【図面の簡単な説明】
【００２５】
【図１】本発明の実施形態に係る光学装置の概略図である。
【図２】本発明の実施形態を説明する為の光路図である
【図３】図２ｂにおけるΔｘとΔｙ、拡大率の関係、及び図２ｃにおけるΔγとΔｘ、Δβとの関係を示す図である。
【図４】本発明の実施形態に係る光学装置の概略図である。
【図５】本発明の実施形態に係る光学装置にて取得した、顕微鏡画像である。
【図６】本発明の実施形態に係る光学装置にて取得した、蛍光顕微鏡画像である。
【図７】本発明の実施形態に係る光学装置にて取得した、顕微鏡画像である。
【図８】従来の光学装置の概略図である。
【符号の説明】
【００２６】
１０１  ダイクロックミラー
１０２  ダイクロックミラー
１０３  スリット
１０４  ミラー
１０５  ミラー
１０６  リレーレンズ
１０７  補正板
１０８  画像取得装置
２０１  無限系対物レンズ
２０２  結像レンズ
２０３  リレーレンズ
２０４  リレーレンズ
２０５  画像取得装置
２０６  有限系対物レンズ
３０１  対物レンズ
３０２  リレーレンズ
３０３  リレーレンズ
５０１  スリット
５０２  ハーフミラー、または、ダイクロックミラー、または、ビームスプリッタ
５０３  リレーレンズ
５０４  リレーレンズ
５０５  ミラー
５０６  ミラー
５０７  三角プリズム、または、ミラー
５０８  レンズ
５０９  画像取得装置
【図１】
0004555796.tif 000002
【図２】
0004555796.tif 000003
【図３】
0004555796.tif 000004
【図４】
0004555796.tif 000005
【図８】
0004555796.tif 000006
【図５】
0004555796.tif 000007
【図６】
0004555796.tif 000008
【図７】
0004555796.tif 000009